(57)【要約】      （修正有）【課題】スポーツ観戦をはじめとする大多数の観客が密集する空間においても、観客から飛び交う飛沫によるウイルス感染を防止することができるとともに、応援グッズとして競技者や他の観客との一体感を増幅することができるフェイスシールドを提供する。【解決手段】フェイスシールド１は、装着バンド２、顔面保護面３、及び装飾部４から主に構成されている。顔面保護面３には、スポーツチームのシンボルであるマスコット等のキャラクターの顔面模様が印刷されている。顔面模様の眼部４１に対応する位置は色彩が配されない光透過部４２となっており、装着者がフェイスシールド１を装着した状態で、係る光透過部４２を通じて前方を視認することができる。フェイスシールド１は、スポーツ観戦中の観客による飛沫感染を防止するとともに、応援グッズとしても使用可能なものとなっている。【選択図】図１
0003228167.tif 000002
【実用新案登録請求の範囲】
【請求項１】
装着者の頭部周囲に装着するための装着バンドと、
該装着バンドを頭部周囲に装着した際、装着者の顔面全体を覆うように前記装着バンドの長さの一部に亘って取り付けられた透明、又は半透明の顔面保護面と、を備えるフェイスシールドにおいて、
前記顔面保護面の一面に、人物、動物、又はキャラクターを模した顔面模様からなる装飾部を有し、
該装飾部の一部には、前記装着バンドを装着した装着者が前方視認可能なように、透明、又は半透明の光透過部が形成された
フェイスシールド。
【請求項２】
前記装飾部の顔面模様には少なくとも眼部を模した装飾が形成され、
前記光透過部は、前記眼部に相当する位置である
請求項１に記載のフェイスシールド。
【請求項３】
前記装飾部は、前記顔面保護面に対して着脱自在に貼付されている
請求項１または請求項２に記載のフェイスシールド。
【請求項４】
前記装着バンドは、装着者の頭部の大きさに応じて装着位置を調整する調整機構を有する
請求項１から請求項３の何れか一項に記載のフェイスシールド。
【請求項５】
前記顔面保護面は、装着者の額から顎まで、及び両耳に亘って覆う形状に形成された
請求項１から請求項４の何れか一項に記載のフェイスシールド。
【考案の詳細な説明】
【技術分野】
【０００１】
本考案は、フェイスシールドに関する。詳しくは、スポーツ観戦をはじめとする大多数の観客が密集する空間においても、観客から飛び交う飛沫によるウイルス感染を防止することができるとともに、応援グッズとして競技者や他の観客との一体感を増幅することができるフェイスシールドに係るものである。
【背景技術】
【０００２】
周知のように、各種スポーツ観戦などにおいては、大勢の観客が集団となって応援するスタイルが一般的となっている。そのような場合、観客は、予め準備してある各種の応援用グッズを携帯して、試合会場、或いはスタンド（以下、「競技場」という。）に入場し、これらの応援用グッズを用いて、集団としての応援合戦を繰りひろげている。
【０００３】
応援用グッズとしては、例えば２本のスティックを打ち鳴らす応援用具（特許文献１参照）や、大声を出して声援する応援用具（特許文献２参照）が用いられてきた。観客はこれら応援用具を用いながら、楽器や笛による音楽に合わせながらの応援を繰りひろげることで、競技者と観客との一体感により、その場の臨場感を得ることができるものとなっていた。
【０００４】
一方で、近年では新型インフルエンザや新型コロナウイルスをはじめとする感染症の世界的な拡大に伴い、スポーツイベントの自粛、或いは動員観客数を制限しての開催が余儀なくされている。
【０００５】
また観戦中の飛沫感染を防止するため、観客は従来のようなメガホンを用いた大声を出して声援するスタイルから、ソーシャルディスタンス（社会的距離）を保ちながら、なるべく大声を出さずに静観して観戦するといった新しい応援スタイルの浸透が求められている。
【先行技術文献】
【特許文献】
【０００６】
【特許文献１】実用新案登録第３０５２２５９号公報
【特許文献２】実用新案登録第３１６０９４２号公報
【考案の概要】
【考案が解決しようとする課題】
【０００７】
しかしながら、スポーツ観戦は、競技場における臨場感を体感できるとともに、他の観客とともに一体となって好みのチームの応援を繰りひろげることが一つの醍醐味である。また、競技者も観客から多くの声援を受けることで、自身のもつパフォーマンスを最大限に発揮することが期待される。
【０００８】
そのため、新しい生活様式が求められる昨今においても、飛沫感染を防止しつつ、観客と競技者による一体感のあるスポーツ観戦の様式や応援スタイルが要望されている。
【０００９】
本考案は、以上の点に鑑みて創案されたものであり、スポーツ観戦をはじめとする大多数の観客が密集する空間においても、観客から飛び交う飛沫によるウイルス感染を防止することができるとともに、応援グッズとして競技者や他の観客との一体感を増幅することができるフェイスシールドを提供することを目的とするものである。
【課題を解決するための手段】
【００１０】
前記の目的を達成するために、本考案のフェイスシールドは、装着者の頭部周囲に装着するための装着バンドと、該装着バンドを頭部周囲に装着した際、装着者の顔面全体を覆うように前記装着バンドの長さの一部に亘って取り付けられた透明、又は半透明の顔面保護面と、を備えるフェイスシールドにおいて、前記顔面保護面の一面に、人物、動物、又はキャラクターを模した顔面模様からなる装飾部を有し、該装飾部の一部には、前記装着バンドを装着した装着者が前方視認可能なように、透明、又は半透明の光透過部が形成されている。
【００１１】
ここで、装着者の頭部周囲に装着するための装着バンドを備えることにより、フェイスシールドを装着する際は、装着バンドで装着者の頭部に強固に固定することができる。従って、フェイスシールドを装着しながらスポーツ観戦等を行っても、フェイスシールドが頭部からずれたりする虞がない。
【００１２】
また、装着バンドを頭部周囲に装着した際、装着者の顔面全体を覆うように装着バンドの長さの一部に亘って取り付けられた顔面保護面を備えることにより、スポーツ観戦中において装着者が大声で声援を送る際に発せられる飛沫が周囲に飛び散ることを防止することができる。従って、他の観客との間にソーシャルディスタンスを保てない状況においても、他の観客が飛沫感染するリスクを低減することができる。
【００１３】
また、顔面保護面の一面に、人物、動物、又はキャラクターを模した顔面模様からなる装飾部を有することにより、例えばスポーツ観戦においては、観客が贔屓にする選手の顔を模した顔面模様や、或いはチームのシンボルとなるマスコットの顔を模した顔面模様を装飾することで、フェイスシールドを装着しながらも、競技者と観客が一体となった応援を行うことができる。
【００１４】
また、装飾部の一部には、装着バンドを装着した装着者が前方視認可能なように、透明、又は半透明の光透過部が形成されていることにより、観客はフェイスシールドを装着したまま競技を観戦できるとともに、前方の視認性が確保できるため安全性が高まる。
【００１５】
また、装飾部の顔面模様には少なくとも眼部を模した装飾が形成され、光透過部は、装飾部の眼部に相当する位置である場合には、装飾部の顔面模様とフェイスシールドを装着した装着者の顔面部分が略一致させることができる。従って、フェイスシールドの顔面模様と装着者の一体性を高めることができる。
【００１６】
また、装飾部は、顔面保護面に対して着脱自在に貼付されている場合には、装着者はその時の気分に応じて異なる装飾部に変更することができる。そのため、観戦中の状況に応じて、贔屓とする選手の顔を模した顔面模様の装飾部としたり、或いはマスコットの顔を模した顔面模様の装飾部に変更したりすることが可能となる。
【００１７】
また、装着バンドは、装着者の頭部の大きさに応じて装着位置を調整する調整機構を有す場合には、装着者の頭の大きさに応じて適宜装着バンドを調整することができるため、異なるサイズのフェイスシールドを準備する必要がなく、製造コストを抑制することができる。
【００１８】
また、顔面保護面は、装着者の額から顎まで、及び両耳に亘って覆う形状に形成されている場合には、耳を含む顔面部の全体が覆われるため、装着者から発せられる飛沫が周囲に飛び散ることを防止することができる。また、フェイスシールドを装着することにより他の観客から発せられた飛沫が顔面保護面でガードできるため、感染リスクを低減することができる。
【考案の効果】
【００１９】
本考案に係るフェイスシールドは、スポーツ観戦をはじめとする大多数の観客が密集する空間においても、観客から飛び交う飛沫によるウイルス感染を防止することができるとともに、競技者や他の観客との一体感を増幅することができる。
【図面の簡単な説明】
【００２０】
【図１】本考案の実施形態に係るフェイスシールドの正面図である。
【図２】本考案の実施形態に係るフェイスシールドの平面図である。
【図３】本考案の実施形態に係るフェイスシールドを装着した状態を示す図である。
【考案を実施するための形態】
【００２１】
以下、本考案の実施の形態に係るフェイスシールドについて、図面を参照しながら説明し、本考案の理解に供する。
【００２２】
まず、本考案に係るフェイスシールドについて、図１〜３に基づいて説明する。フェイスシールド１は、装着バンド２、顔面保護面３、及び装飾部４から主に構成されている。
【００２３】
［装着バンド］
装着バンド２は装着者Ｍの頭部の周囲に巻き付けることが可能な程度に長尺に形成され、湾曲が自在なように樹脂材等の材料から構成されている。
【００２４】
長尺に形成された装着バンド２の一端には凹凸形状が所定の範囲わたって連続的に形成されており（凹凸部２１）、他端の所定の範囲にはスリット孔２２が形成されている。装着バンド２を装着者Ｍの頭部に巻き付けた際に、一端の凹凸部２１を他端のスリット孔２２に差し込むことで、装着バンド２の湾曲の大きさを変更し、装着者Ｍの頭部で強固に固定することが可能となる。
【００２５】
また、このとき、凹凸部２１は連続的に形成されているため、装着者Ｍの頭の大きさに応じて、その装着位置を段階的に調整することが可能な調整機構として機能することができる。
【００２６】
ここで、必ずしも、装着バンド２はその固定位置を適宜変更することが可能な調整機構を有している必要はない。但し、調整機構を有することにより、装着者Ｍの頭の大きさに応じて装着バンド２の湾曲の大きさを変更し、装着者Ｍの頭のサイズに最適な位置で固定することができる。さらに、装着者Ｍの頭のサイズに応じた複数のサイズの装着バンド２を製造する必要がないため、製造コストを抑制することができる。
【００２７】
また、必ずしも、調整機構として、凹凸部２１とスリット孔２２から構成されている必要はない。例えば、面ファスナを採用することにより、面ファスナの貼付位置を適宜調整することで装着バンド２の湾曲の大きさを変更するようにしてもよく、その他、段階的に調整可能な構造であれば、調整機構として特に限定されるものではない。
【００２８】
［顔面保護面］
顔面保護面３は、略透明で光を透過する樹脂材から構成され、顔面保護面３の上方両側には装着バンド２が挿通可能なスリット孔３１、３１が形成されている。該スリット孔３１、３１に、装着バンド２が挿通されることで、装着バンド２と顔面保護面３が一体化される。
【００２９】
顔面保護面３は、少なくとも装着者Ｍの額から顎、及び耳の全体を覆う大きさであるが、装着者Ｍから発せられる飛沫が周囲に飛び散ることを防止するとともに、他者から発せられた飛沫を十分に防御することができれば、その大きさは適宜変更することができるものとする。
【００３０】
ここで、必ずしも、顔面保護面３と装着バンド２の固定方法は前記した構造に限定されるものではない。例えば、顔面保護面３と装着バンド２を所定の固定手段（例えば接着剤量等）を用いて一体化してもよい。
【００３１】
［装飾部］
装飾部４は顔面保護面３の一面に直接印刷された模様である。係る装飾部４の模様としては、図１に示すようにキャラクター（例えばスポーツチームのシンボルであるマスコット等）の顔面模様が描写されている。
【００３２】
ここで、必ずしも、装飾部４に描写される模様として、キャラクターの顔面である必要はない。例えば、装着者が贔屓とする競技者の顔面を模した模様や、動物の顔面を模した模様、或いはスポーツチームのチームカラー等、様々な模様を採用することができる。
【００３３】
また、必ずしも、装飾部４は顔面保護面３の一面に印刷されている必要はない。例えば、顔面保護面３に着脱自在なように、粘着剤を介して貼付されていてもよい。このように、着脱自在に貼付された形態である場合、例えば異なる模様からなる装飾部４を、その日の気分に応じて差し替えることが可能となる。
【００３４】
装飾部４の顔面模様の少なくとも眼部４１は、フェイスシールド１を装着した装着者Ｍの眼部に略対応するように描写されている。そして、係る顔面模様の眼部４１に対応する部分は顔面保護面３の透明な樹脂材が露出する光透過部４２が形成されている。
【００３５】
このように、装飾部４の顔面模様の一部に光透過部４２が形成されることで、フェイスシールド１を装着した装着者Ｍは、係る光透過部４２通して前面を視認することができるため、装飾部４を有するフェイスシールド１を装着しながらも、スポーツ観戦を行うことが可能であり、また、フェイスシールドを装着したまま、競技場内を移動する際にも一定の安全性が確保されるものとなっている。
【００３６】
ここで、必ずしも、装飾部４に形成される光透過部４２は、顔面模様の眼部４１に略対応して形成されている必要はない。フェイスシールド１を装着した装着者Ｍの眼部に略対応する位置を光透過部４２として、フェイスシールド１を装着した際に、装着者Ｍの前方視認性を確保することができればよく、光透過部４２の位置は特に限定されるものではない。
【００３７】
なお、装着バンド２の顔面保護面３が装着される部分には、装着者Ｍの額に当接する当接部材５が装着されていてもよい。係る当接部材５は、装着バンド２の長さよりも短く構成されており、当接部材５の両端は装着バンド２に周知の固定方法で固定されている。
【００３８】
当接部材５が固定された状態で、装着バンド２を湾曲させると、当接部材５も装着者Ｍの額の形状に沿うように湾曲し、装着者Ｍの額に密着させることができる。このように、当接部材５が装着者Ｍの額に密着することで、滑り止め防止として機能するとともに、装着者Ｍの額に付着した汗を吸収する機能も有する。そのため、当接部材５は、水分を吸収するスポンジ材等から構成されていることが好ましい。
【００３９】
ここで、必ずしも、当接部材５を有している必要はない。但し、当接部材５を有することで、装着バンド２の装着者Ｍの頭部への密着性が高まるとともに、装着者Ｍの額に付着した汗も吸収して、スポーツの観戦中に装着バンド２が装着者Ｍの頭部からずれたり、外れたりすることを防止することができる。
【００４０】
以上のように構成されたフェイスシールド１において、装飾部４としてスポーツチームに関連する統一的な模様が描写されたフェイスシールド１を競技場に訪れる観客の全員に配布し、装着を促すことにより、スポーツ観戦中の観客同士の飛沫感染を防止することができるとともに、応援グッズとして観客全体の一体感が得られるものとなる。
【００４１】
以上、本考案に係るフェイスシールドは、スポーツ観戦をはじめとする大多数の観客が密集する空間においても、観客から飛び交う飛沫によるウイルス感染を防止することができるとともに、応援グッズとして競技者や他の観客との一体感を増幅することができるものとなっている。
【符号の説明】
【００４２】
１      フェイスシールド
２      装着バンド
２１      凹凸部
２２      スリット孔
３      顔面保護面
３１      スリット孔
４      装飾部
４１      眼部
４２      光透過部
５      当接部材
Ｍ      装着者
【図１】
0003228167.tif 000003
【図２】
0003228167.tif 000004
【図３】
0003228167.tif 000005